Podtech/llm-jp-corpus-v4-ja_patent huggingface dataset:
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
第１面および前記第１面の反対側である第２面を具備する光ガイド部；
前記光ガイド部上に配置される立体効果形成部；および
前記光ガイド部の厚さ方向に前記光ガイド部の中間部に光を照射する光源部；
を含み、
前記立体効果形成部は前記第１面または前記第２面の少なくとも一に対して傾斜した傾斜面を具備し、前記光ガイド部に入射する前記光源部からの光は前記第１面または前記第２面によって屈折および反射ならびに投影の少なくとも一がなされ、
前記光ガイド部は厚さ方向に曲がる屈曲部を含む、照明装置。
【請求項２】
前記立体効果形成部は前記光ガイド部内の入射光を前記傾斜面での反射および屈折によって前記第１面が向かっている第１面方向または前記第２面が向かっている第２面方向に誘導して、前記立体効果形成部の各延長方向と直交する第１経路の線形光を具現し、
前記複数の単位パターンは前記光源部の光源の光が前記光ガイド部の外部から内部に入射される第１領域と最も近い距離である第１距離、前記第１距離より遠い第２距離および前記第２距離より遠い第３距離を有して順次配列される第１単位パターン、第１単位パターンおよび第３単位パターンを含み、
ここで、前記第２単位パターンの傾斜面による第２ダミー光源から前記第２単位パターンの傾斜面までの第２距離は、前記第１単位パターンの傾斜面による第１ダミー光源から前記第１単位パターンの傾斜面までの第１距離よりも長く、前記第３単位パターンの傾斜面による第３ダミー光源から前記第３単位パターンの傾斜面までの第３距離よりも短い、請求項１に記載の照明装置。
【請求項３】
前記パターンは前記入射光を前記光ガイド部の中間部から第１側面の端に延長する第１線形光と前記中間部から前記第１側面の端と向き合う第２側面の端に延長する第２線形光に変換する、請求項２に記載の照明装置。
【請求項４】
前記傾斜面は鏡面または鏡面加工面を含む、請求項３に記載の照明装置。
【請求項５】
前記傾斜面の粗さは算術平均粗さ（Ｒａ）０．０２以下および最大高さ粗さ（Ｒｙ）０．３０以下である、請求項４に記載の照明装置。
【請求項６】
前記複数の単位パターンの周期またはピッチは１０μｍ〜５００μｍである、請求項４に記載の照明装置。
【請求項７】
前記複数の単位パターンの各パターン延長方向は互いに平行する、請求項６に記載の照明装置。
【請求項８】
前記屈曲部は前記光源部の光が前記光ガイド部の外部から内部に入射される第１領域内に配列される、請求項１に記載の照明装置。
【請求項９】
前記屈曲部は前記光源部の光が前記光ガイド部の外部から内部に入射される第１領域の外部に配列される、請求項１に記載の照明装置。
【請求項１０】
前記光ガイド部の材料はレジン（Ｒｅｓｉｎ）またはグラス（Ｇｌａｓｓ）を含み、前記レジンは熱可塑性高分子または光硬化性高分子を含む、請求項１に記載の照明装置。
【請求項１１】
前記立体効果形成部は前記光ガイド部の前記第１面および前記第２面のうち少なくともいずれか一つを加工して一体型で設けられる、請求項１に記載の照明装置。
【請求項１２】
前記立体効果形成部は前記光ガイド部の前記第１面および前記第２面のうち少なくともいずれか一つに接合されるパターン層によって設けられる、請求項１に記載の照明装置。
【請求項１３】
前記立体効果形成部は前記光ガイド部の互いに異なる領域に設けられる第１グループの複数の単位パターンおよび第２グループの複数の単位パターンを含む、請求項１に記載の照明装置。
【請求項１４】
前記第１グループの複数の単位パターンの少なくとも一つの第１パターン延長方向と前記第２グループの複数の単位パターンの少なくとも一つの第２パターン延長方向は互いに異なる、請求項１３に記載の照明装置。
【請求項１５】
前記第１グループの複数の単位パターンおよび前記第２グループの複数の単位パターンの間のパターン非形成部または隔壁をさらに含む、請求項１３に記載の照明装置。
【請求項１６】
前記光源部は前記第１グループの複数の単位パターンに入射光を照射する第１光源と前記第２グループの複数の単位パターンに入射光を照射する第２光源を含む、請求項１３に記載の照明装置。
【請求項１７】
前記第１光源および前記第２光源は少なくとも一つ以上のＬＥＤ（Ｌｉｇｈｔ  Ｅｍｉｔｔｉｎｇ  Ｄｉｏｄｅ）素子を有するＬＥＤパッケージである、請求項１６に記載の照明装置。
【請求項１８】
前記光源部または前記光ガイド部を支持するハウジングをさらに含む、請求項１に記載の照明装置。
【請求項１９】
前記ハウジングに結合し、前記光ガイド部を傾斜させるか曲げる駆動部をさらに含む、請求項１８に記載の照明装置。
【請求項２０】
前記光ガイド部を覆うアウターレンズをさらに含む、請求項１に記載の照明装置。
【請求項２１】
前記光源部は車両のバッテリーに連結される、請求項２０に記載の照明装置。
【請求項２２】
第１面および前記第１面の反対側である第２面を具備する光ガイド部；
前記光ガイド部上に配置される立体効果形成部；および
前記第１面または前記第２面と傾斜した方向から前記光ガイド部に光を照射する光源部；
を含み、
前記立体効果形成部は前記第１面または前記第２面の少なくとも一に対して傾斜した傾斜面を具備し、前記光ガイド部に入射する前記光源部からの光は前記第１面または前記第２面によって屈折および反射ならびに投影の少なくとも一がなされ、
前記光ガイド部は厚さ方向に曲がる屈曲部を含む、照明装置。
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
水溶性もしくは非水溶性マトリックス（２）と、粘性材料および粒子を含むマトリックス（３）との界面に粒子を配置する方法であって、
前記水溶性もしくは非水溶性マトリックス（２）、または、前記粘性材料および粒子を含むマトリックス（３）を、前記水溶性もしくは非水溶性マトリックス（２）、または、前記粘性材料および粒子を含むマトリックス（３）に面した少なくとも１つの側面を含む支持体（１）と接触させる工程と、
前記水溶性もしくは非水溶性マトリックス（２）を前記粘性材料および粒子を含むマトリックス（３）と接触させた状態で配置し、それにより前記水溶性もしくは非水溶性マトリックスと前記粘性材料および粒子を含むマトリックスとの間に少なくとも１つの界面（５）を含む構造を得る工程と、
前記構造内の粒子を電場および／または磁場に曝し、それにより前記粒子を、前記水溶性もしくは非水溶性マトリックスと前記粘性材料および粒子を含むマトリックスとの間の少なくとも１つの界面（５）に終端を含む少なくとも１つの粒子経路に形成する工程と、
前記少なくとも１つの粒子経路を固定させるために前記粘性材料を固定させる工程と
を含み、
前記終端は前記水溶性もしくは非水溶性マトリックスを溶解して除去したときに露出されることを特徴とする方法。
【請求項２】
前記水溶性マトリックスは、水溶性材料を含む、又は、水溶性材料からなる、請求項１に記載の方法。
【請求項３】
前記水溶性もしくは非水溶性マトリックスは粒子を含む、請求項１又は２に記載の方法。
【請求項４】
前記少なくとも１つの粒子経路は粒子のネットワークの一部を形成する、請求項１〜３のいずれか一項に記載の方法。
【請求項５】
前記支持体の前記少なくとも１つの側面を、コロナ、プラズマ、または火炎処理から選択される表面改質技術で処理する工程をさらに含む、請求項１〜４のいずれか一項に記載の方法。
【請求項６】
前記支持体を前記水溶性もしくは非水溶性マトリックス、および／または、前記粘性材料および粒子を含むマトリックスから除去する工程をさらに含む、請求項１〜５のいずれか一項に記載の方法。
【請求項７】
水または水溶液で洗い流すことにより前記水溶性マトリックスを除去する、請求項１〜６のいずれか一項に記載の方法。
【請求項８】
酸、塩基、あるいは有機溶媒（アルコール、エステル、ケトン、アルデヒド、エーテルまたは炭化水素など）で洗い流すことにより前記非水溶性マトリックスを除去する、請求項１又は３〜６のいずれか一項に記載の方法。
【請求項９】
前記水溶性マトリックスは、ポリビニルアルコール、セルロースエーテル、ポリエチレンオキシド、澱粉、ポリビニルピロリドン、ポリアクリルアミド、ポリビニルメチルエーテル−無水マレイン酸、ポリ無水マレイン酸、スチレン−無水マレイン酸、ヒドロキシエチルセルロース、メチルセルロース、ポリエチレングリコール、カルボキシメチルセルロース、ポリアクリル酸塩、アルギン酸塩、アクリルアミドコポリマー、グアーガム、カゼイン、エチレン−無水マレイン酸樹脂、ポリエチレンイミン、エチルヒドロキシエチルセルロース、エチルメチルセルロース、およびヒドロキシエチルメチルセルロースからなる群から選択される１種以上の水溶性ポリマーを含むか、あるいは、そのような１種以上の水溶性ポリマーからなる、請求項１〜７のいずれか一項に記載の方法。
【請求項１０】
前記粘性材料および粒子を含むマトリックスの粘性材料は、接着剤および／またはエラストマー系材料を含む、請求項１〜９のいずれか一項に記載の方法。
【請求項１１】
前記粒子は、炭素、金属、および／または、金属合金の粒子などの導電性粒子を含む、請求項１〜１０のいずれか一項に記載の方法。
【請求項１２】
前記少なくとも１つの粒子経路は導電性の粒子経路である、請求項１〜１１のいずれか一項に記載の方法。
【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
キャリア回路移送メカニズムであって、
１または複数の未パッケージ半導体デバイスをその上に有するキャリア基層を獲得し、
前記１または複数の未パッケージ半導体デバイスを前記キャリア基層から回路アセンブリへ直接移送する
ように構成された、キャリア回路移送メカニズムと、
前記移送の後に、前記１または複数の未パッケージ半導体デバイスのその場パッケージを実行するように構成されたパッケージャーであって、前記その場パッケージは、
前記１または複数の未パッケージ半導体デバイスのそれぞれを前記回路アセンブリの伝導性リンクに相互接続し、
前記１または複数の未パッケージ半導体デバイスのうちの少なくとも１つにコーティング材料を付与する
ように構成された、パッケージャーと、
を備える装置。
【請求項２】
前記キャリア回路移送メカニズムは、単一の個別デバイスを、前記１または複数の未パッケージ半導体デバイスとして移送するようにさらに構成された、請求項１に記載の装置。
【請求項３】
前記キャリア回路移送メカニズムは、発光ダイオード（ＬＥＤ）、ダイオード、トランジスタ、抵抗器、キャパシタ、およびヒューズのうちの１または複数を、前記１または複数の未パッケージ半導体デバイスとして移送するようにさらに構成された、請求項１に記載の装置。
【請求項４】
前記キャリア回路移送メカニズムは、１または複数の発光ダイオード（ＬＥＤ）を、前記１または複数の未パッケージ半導体デバイスとして移送するようにさらに構成された、である請求項１に記載の装置。
【請求項５】
前記キャリア回路移送メカニズムは、約１０〜約３００ミクロンの範囲の直径サイズを有する前記１または複数の未パッケージ半導体デバイスを移送するようにさらに構成された、請求項１に記載の装置。
【請求項６】
前記キャリア回路移送メカニズムは、約１００〜約２５０ミクロンの範囲の直径サイズを有する前記１または複数の未パッケージ半導体デバイスを移送するようにさらに構成された、請求項１に記載の装置。
【請求項７】
前記キャリア回路移送メカニズムは、
フレキシブルでエラストマーである平面材料、および
前記キャリア基層の側に接着されている接着剤
を含むキャリア基層を獲得するようにさらに構成された、請求項１に記載の装置。
【請求項８】
１または複数の未パッケージ半導体デバイスをキャリア基層から回路アセンブリへ直接移送するキャリア回路移送メカニズムと、
各未パッケージ半導体デバイスを前記回路アセンブリの伝導性リンクに相互接続することによって、前記１または複数の未パッケージ半導体デバイスを、その場パッケージするパッケージャーと、
を備える装置。
【請求項９】
前記キャリア回路移送メカニズムは、押し付け、前記キャリア基層を延伸して、前記１または複数の未パッケージ半導体デバイスを前記回路アセンブリに対して配置するピンを含む、請求項８に記載の装置。
【請求項１０】
前記キャリア回路移送メカニズムは、前記キャリア基層および前記回路アセンブリの上方に配置される、請求項８に記載の装置。
【請求項１１】
前記キャリア回路移送メカニズムは、往復一軸運動を実行して、前記１または複数の未パッケージ半導体デバイスを前記キャリア基層から前記回路アセンブリに移送するようにさらに構成された、請求項８に記載の装置。
【請求項１２】
前記キャリア回路移送メカニズムは、前記１または複数の未パッケージ半導体デバイスを前記回路アセンブリ上に仰向けに移送するようにさらに構成された、請求項８に記載の装置。
【請求項１３】
前記キャリア回路移送メカニズムは、前記１または複数の未パッケージ半導体デバイスを前記回路アセンブリの平坦な回路基板に移送するようにさらに構成された、請求項８に記載の装置。
【請求項１４】
前記キャリア回路移送メカニズムは、前記１または複数の未パッケージ半導体デバイスを前記回路アセンブリの、０．２ミリメートル以下の厚みを有する回路基板に移送するようにさらに構成された、請求項８に記載の装置。
【請求項１５】
前記パッケージャーは、連続的な伝導性材料を、伝導性リンクと、移送された前記１または複数の未パッケージ半導体デバイスの電気接点との間に付与するようにさらに構成された、請求項８に記載の装置。
【請求項１６】
前記パッケージャーは、スプレイング、ペインティング、印刷、ブラッシング、堆積、ディスペンシング、パウダーコーティング、コーティング、シーリング、覆うこと、グレージング、ラミネーティング、エナメリング、インクラスティング、プラスタリング、バーニッシング、ディッピング、イマージング、スラザリング、ベイシング、ダウシング、ドレンチング、ダンキング、およびプランジングからなる群から選択される行為を介して、未硬化の液体またはゲルコーティング材料を前記回路アセンブリの上または上方に付与するようにさらに構成された、請求項８に記載の装置。
【請求項１７】
前記パッケージャーは、保護コーティング材料を付与して、前記回路アセンブリを環境要因から保護するようにさらに構成された、請求項８に記載の装置。
【請求項１８】
前記パッケージャーは、前記１または複数の未パッケージ半導体デバイスの特性を調整する特性改変コーティングを付与するようにさらに構成された、請求項８に記載の装置。
【請求項１９】
１または複数の未パッケージ半導体デバイスを、前記１または複数の未パッケージ半導体デバイスの往復一軸運動を介して、キャリア基層から回路アセンブリへ直接移送するように構成されたキャリア回路移送メカニズムを備える装置。
【請求項２０】
前記１または複数の未パッケージ半導体デバイスを前記回路アセンブリの伝導性リンクに相互接続することと、
前記１または複数の未パッケージ半導体デバイスにコーティング材料を付与することと、
を介して、前記１または複数の未パッケージ半導体デバイスをその場パッケージするように構成されたパッケージャーをさらに備える請求項１９に記載の装置。
【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
循環法を使用してシリコン含有基材にアパーチャーをエッチングする方法であって、
ａ．前記シリコン含有基材をフッ素含有エッチング流体でプラズマエッチングして、エッチングされたシリコン含有基材を形成する工程と、
ｂ．水素含有不飽和ポリマー堆積流体をプラズマ処理することによって、１：２より大きいＣ：Ｆ比を有するＣａＨｂＦｃ種（ここで、ａ＝１または２、ｂ＝１または２、およびｃ＝１〜３である）の総数の約５０％〜約１００％を生じさせる工程と、
ｃ．前記ＣａＨｂＦｃ種から、前記エッチングされたシリコン含有基材上にポリマーを堆積させる工程と、
ｄ．工程ａ〜ｃを繰り返す工程と
を含む方法。
【請求項２】
前記水素含有ポリマー堆積流体が、（Ｚ）−１，２，３，３，３−ペンタフルオロプロペン、１，１，２，３，３−ペンタフルオロプロペン、１，１，３，３，３−ペンタフルオロプロペン、１，２，３，３，３−ペンタフルオロプロペン、（Ｅ）−１，２，３，３，３−ペンタフルオロプロペン、１，１，３，４，４，４−ヘキサフルオロブト−２−エン；２，３，３，４，４，４−ヘキサフルオロ−１−ブテン；１，１，２，３，３，４，４−ヘプタフルオロブト−１−エン、１，１，１，２，４，４，４−ヘプタフルオロ−２−ブテン、およびシス−１，１，２，２，３，４−ヘキサフルオロシクロブタンからなる群から選択される、請求項１に記載の方法。
【請求項３】
前記水素含有ポリマー堆積流体が、（Ｚ）−１，１，１，４，４，４−ヘキサフルオロ−２−ブテン；（Ｅ）−１，１，１，４，４，４−ヘキサフルオロ−２−ブテン；トランス−１，１，２，２，３，４−ヘキサフルオロシクロブタン；およびヘキサフルオロイソブテンからなる群から選択される、請求項１に記載の方法。
【請求項４】
前記シリコン含有基材がシリコンである、請求項１ないし請求項３のいずれか一項に記載の方法。
【請求項５】
前記エッチング流体が、ＳＦ６、ＳＦ５ＣＦ３、ＳＦ４、ＰＦ３、Ｓｉ２Ｆ６、ＢＦ３、ＣＦ３Ｉ、Ｃ２Ｆ５Ｉ、Ｃ３Ｆ７Ｉ、ＳＯＦ４、ＩＦ５、およびＣＯＦ２からなる群から選択される、請求項１ないし請求項３のいずれか一項に記載の方法。
【請求項６】
前記エッチング流体が、ＳＦ６、ＳＦ４、ＰＦ３、Ｓｉ２Ｆ６、ＢＦ３、ＳＯＦ４、およびＩＦ５からなる群から選択される、請求項５に記載の方法。
【請求項７】
前記アパーチャーが約２：１〜約１００：１の範囲のアスペクト比を有する、請求項１ないし請求項３のいずれか一項に記載の方法。
【請求項８】
前記アパーチャーが約４０ｎｍ〜約２０００μｍ（ミクロンまたはマイクロメートル）の範囲の幅を有する、請求項１ないし請求項３のいずれか一項に記載の方法。
【請求項９】
シリコンエッチング方法が酸化シリコンよりも多くシリコンを選択的にエッチングする、請求項１ないし請求項３のいずれか一項に記載の方法。
【請求項１０】
シリコンエッチング方法が窒化シリコンよりも多くシリコンを選択的にエッチングする、請求項１ないし請求項３のいずれか一項に記載の方法。
【請求項１１】
不活性ガスを利用しない、請求項１ないし請求項３のいずれか一項に記載の方法。
【請求項１２】
酸素含有ガスを利用しない、請求項１ないし請求項３のいずれか一項に記載の方法。
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
シーン内の複数の関心領域を提案し、前記複数の関心領域から多焦点イメージを生成するための方法であって、
シーンのデジタルイメージデータを受信することと、
前記シーン内の候補関心領域を決定することと、
前記候補関心領域を、前記シーンを表示しているディスプレイスクリーン上に示すことと、
１つまたは複数の前記候補関心領域および他の関心領域を含み得る複数の関心領域の選択を示す入力を受信することと、
各選択された関心領域に関連するオートフォーカスパラメータを決定することと、ここにおいて、オートフォーカスパラメータを決定することは、前記選択された関心領域が焦点が合っている各選択された関心領域について前記オートフォーカスパラメータを決定するためにオートフォーカスを実行することを含む、
前記オートフォーカスパラメータをメモリ構成要素に記憶することと、
イメージをキャプチャするための入力を受信した後に、前記関心領域に関連する前記記憶されたオートフォーカスパラメータを使用して、各選択された関心領域のイメージをキャプチャすることと、
各選択された関心領域の前記キャプチャされたイメージからのイメージデータを含む多焦点イメージを生成することと
を備える、方法。
【請求項２】
プレビューモードにおいてイメージングデバイスを動作させることをさらに備える、請求項１に記載の方法。
【請求項３】
顔検出アルゴリズムまたはオブジェクトトラッキングアルゴリズムを使用してシーン内の関心領域を決定することをさらに備える、請求項１に記載の方法。
【請求項４】
前記プレビューモードにおいて前記提案された複数の関心領域を前記ユーザにグラフィカルに表示することをさらに備える、請求項２に記載の方法。
【請求項５】
複数の関心領域の選択を示す入力を受信することが、タッチスクリーン上でタッチイベントを登録することをさらに備える、請求項１に記載の方法。
【請求項６】
前記イメージングデバイスが、モバイルデバイスのカメラアプリケーションの構成要素である、請求項２に記載の方法。
【請求項７】
シーン内の複数の関心領域を提案し、前記複数の関心領域から多焦点イメージを生成するための装置であって、
シーン内の候補関心領域を決定するための手段と、
前記候補関心領域を、前記シーンを表示しているディスプレイスクリーン上に示すための手段と、
１つまたは複数の前記候補関心領域および他の関心領域を含み得る複数の関心領域の選択を示す入力を受信するための手段と、
各選択された関心領域に関連するオートフォーカスパラメータを決定するための手段と、ここにおいて、オートフォーカスパラメータを決定することは、前記選択された関心領域が焦点が合っている各選択された関心領域について前記オートフォーカスパラメータを決定するためにオートフォーカスを実行することを含む、
前記オートフォーカスパラメータをメモリ構成要素に記憶するための手段と、
前記関心領域に関連する前記記憶されたオートフォーカスパラメータを使用して、各選択された関心領域のイメージをキャプチャするための手段と、
各選択された関心領域の前記キャプチャされたイメージからのイメージデータを含む多焦点イメージを生成するための手段と
を備える、装置。
【請求項８】
センサーを備えるイメージングデバイスをさらに備え、ここにおいて、前記装置が、前記イメージングデバイスと前記関心領域に関連する前記オートフォーカスパラメータとを使用して各関心領域のイメージをキャプチャするための手段をさらに備える、請求項７に記載の装置。
【請求項９】
プレビューモードにおいて前記イメージングデバイスを動作させるための手段をさらに備える、請求項８に記載の装置。
【請求項１０】
顔検出アルゴリズムまたはオブジェクトトラッキングアルゴリズムを使用してシーン内の前記関心領域を決定するための手段をさらに備える、請求項７に記載の装置。
【請求項１１】
前記プレビューモードにおいて前記提案された複数の関心領域を前記ユーザにグラフィカルに表示するための手段をさらに備える、請求項９に記載の装置。
【請求項１２】
タッチスクリーンをさらに備え、ここにおいて、前記装置が、前記タッチスクリーン上でタッチイベントを登録することによって、複数の関心領域の選択を示す入力を受信するための手段をさらに備える、請求項７に記載の装置。
【請求項１３】
シーン内の候補関心領域を決定することに関する入力を受信するための手段をさらに備える、請求項７に記載の装置。
【請求項１４】
実行されたとき、少なくとも１つの物理的コンピュータプロセッサに、請求項１から６のうちのいずれか１項に記載の方法を実行させる命令を記憶する、非一時的コンピュータ可読媒体。
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
衛星を介してコンテンツを配信する配信方法であって、
コンテンツの配信のワークフローの出発点である起点サーバからコンテンツを取得し、
前記コンテンツを前記起点サーバから衛星に直接アップリンクし、
衛星の衛星帯域幅を使用してモバイルオペレータネットワークの１以上の末端位置へ前記コンテンツを送信する、
ことを特徴とする配信方法。
【請求項２】
前記コンテンツは、前記１以上の末端位置の場所に基づいて、従来の衛星または高スループットな衛星と、ワイドビームまたはスポットビームと、の組み合わせを使用して前記１以上の末端位置に送信されることを特徴とする請求項１に記載の配信方法。
【請求項３】
さらに、前記起点サーバにおいて前記コンテンツに関する配信ルールを受信し、
前記コンテンツは、受信された前記配信ルールに基づいて前記１以上の末端位置へ送信される、
ことを特徴とする請求項２に記載の配信方法。
【請求項４】
前記１以上の末端位置は、前記モバイルオペレータネットワークから認証データを受信することを特徴とする請求項２に記載の配信方法。
【請求項５】
前記１以上の末端位置は、前記認証データに基づいて１以上のデバイスへ前記コンテンツを配信することを特徴とする請求項４に記載の配信方法。
【請求項６】
前記コンテンツは前記１以上の末端位置にキャッシュされることを特徴とする請求項１に記載の配信方法。
【請求項７】
衛星を介してコンテンツを配信する配信装置であって、
１以上のプロセッサにより実行されると、コンテンツの配信のワークフローの出発点である起点サーバからコンテンツを取得し、前記コンテンツを前記起点サーバから衛星に直接アップリンクし、前記衛星の衛星帯域幅を使用してモバイルオペレータネットワークの１以上の末端位置へ前記コンテンツを送信する処理を前記１以上のプロセッサに実行させる実行可能命令を格納するメモリと連携する前記１以上のプロセッサを備えることを特徴とする配信装置。
【請求項８】
前記コンテンツは、前記１以上の末端位置の場所に基づいて、従来の衛星または高スループットな衛星と、ワイドビームまたはスポットビームと、の組み合わせを使用して前記１以上の末端位置に送信されることを特徴とする請求項７に記載の配信装置。
【請求項９】
前記メモリは、さらに、前記１以上のプロセッサにより実行されると、前記１以上のプロセッサに、前記起点サーバにおいて前記コンテンツに関する配信ルールを受信させる実行可能命令を格納し、
前記コンテンツは、受信された前記配信ルールに基づいて前記１以上の末端位置へ送信される、
ことを特徴とする請求項８に記載の配信装置。
【請求項１０】
前記１以上の末端位置は、前記モバイルオペレータネットワークから認証データを受信することを特徴とする請求項８に記載の配信装置。
【請求項１１】
前記１以上の末端位置は、前記認証データに基づいて１以上のデバイスへコンテンツを配信することを特徴とする請求項１０に記載の配信装置。
【請求項１２】
前記コンテンツは前記１以上の末端位置にキャッシュされることを特徴とする請求項７に記載の配信装置。
【請求項１３】
さらに、前記起点サーバは、コンテンツの所有者の起点サーバであることを特徴とする請求項１に記載の配信方法。
【請求項１４】
前記起点サーバは、コンテンツの所有者の起点サーバであることを特徴とする請求項７に記載の配信装置。
【請求項１５】
前記起点サーバは、ＩａａＳ（Ｉｎｆｒａｓｔｒｕｃｔｕｒｅ  ａｓ  ａ  Ｓｅｒｖｉｃｅ）として動作するテレポートであることを特徴とする請求項１に記載の配信方法。
【請求項１６】
前記起点サーバは、ＩａａＳ（Ｉｎｆｒａｓｔｒｕｃｔｕｒｅ  ａｓ  ａ  Ｓｅｒｖｉｃｅ）として動作するテレポートであることを特徴とする請求項７に記載の配信装置。
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
充電式バッテリを備えた電動歯ブラシであって、
モータ収納部、充電式バッテリ収納部およびボビン部が、その順番で共通の軸に沿って配列され、一体形成されたシャーシ、
モータ収納部に収容されたＤＣモータ、
充電式バッテリ収納部に収容された充電式バッテリ、
ボビン部に巻きつけられたコイル、
を含み、
前記充電式バッテリ収納部およびボビン部は、平行な一対の連結アームによって、互いに接続される、電動歯ブラシ。
【請求項２】
前記連結アームの各々の厚さは、充電式バッテリ収納部およびボビン部を形成する壁の厚さより薄く形成され、それによって連結アームの各々は切断工具によって切断可能である請求項１に記載の電動歯ブラシ。
【請求項３】
ボビン部は円開口を有する一方、また充電式バッテリ収納部は凹部を有する壁を有し、凹部を有する壁は共通の軸に垂直で、ボビン部から離れた終端側に形成され、前記ボビン部の円開口は、ボビン部にコイルを巻くためのツールに含まれる長手の治具が貫通され、また充電式バッテリ収納部の凹部を有する壁は、前記長手の治具の先端部と係合するように構成された、請求項１に記載の電動歯ブラシ。
【請求項４】
更に、前記充電式バッテリ収納部の上に設けた長手の回路基板を含む、請求項１に記載の電動歯ブラシ。
【請求項５】
前記ＤＣモータは一対のフック・タイプ端子を有し、前記長手の回路基板に接続される、請求項４に記載の電動歯ブラシ。
【請求項６】
前記ＤＣモータは少なくとも２本のねじによってシャーシに強固に保持される、請求項１に記載の電動歯ブラシ。
【請求項７】
前記シャーシの充電式バッテリ収納部には、前記充電式バッテリの円筒状部分を保持するための、少なくとも一対の突出部が設けられている、請求項１に記載の電動歯ブラシ。
【請求項８】
前記充電式バッテリは円筒状の形状を有し、その両端には、円筒状のバッテリの軸方向に対し垂直な面に含まれ、その軸とは交差しない方向に延びる第１，第２舌状端子を有する、請求項１に記載の電動歯ブラシ。
【請求項９】
前記シャーシの充電式バッテリ収納部は、充電式バッテリを収納するための長手の開口を形成するため、互いに対向する長手の第１，第２湾曲壁と、第１，第２湾曲壁との間に位置する長手の中央壁で構成され、充電式バッテリが長手の開口に収納されると、第１，第２舌状端子は、第１湾曲壁よりも第２湾曲壁に近い位置に配置される、請求項８に記載の電動歯ブラシ。
【請求項１０】
前記第２湾曲壁には、前記第１舌状端子が存在する位置の近傍に第１開口が形成されると共に、前記第２舌状端子が存在する位置の近傍に第２開口が形成され、前記第１開口、第２開口は、それぞれ前記第１、第２舌状端子を切断する切断工具を挿入するために形成されている、請求項９に記載の電動歯ブラシ。
【請求項１１】
更に、前記充電式バッテリ収納部の長手の中央壁の上であって、充電式バッテリが存在する側とは逆の側の上に長手の回路基板を含む、請求項９に記載の電動歯ブラシ。
【請求項１２】
前記長手の回路基板には、前記第１，第２舌状端子の先端部を挿入するための第１，第２スリットか形成されている、請求項９に記載の電動歯ブラシ。
【請求項１３】
充電式バッテリを備えた電動歯ブラシであって、
充電式バッテリ収納部およびボビン部が、その順番で共通の軸に沿って配列されたシャーシ、
前記充電式バッテリ収納部およびボビン部を互いに接続する、平行な一対の連結アーム、ここで、一対の連結アーム、充電式バッテリ収納部、ボビン部は一体構成される、
充電式バッテリ収納部に収容され、複数の舌状端子を備えた充電式バッテリ、
複数の舌状端子にアクセス可能な開口が形成された、シャーシを構成する壁、
を含む電動歯ブラシ。
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
医療用インプラントを調整するための遠隔制御装置であって、
無線駆動信号を伝達して埋め込まれた医療用インプラントを調整するように構成されるドライバであって、前記医療用インプラントの調整が、前記医療用インプラントを用いて力を生成すること及び前記医療用インプラントの寸法を変更することのうちの１つ以上を含む、ドライバと、
前記駆動信号に対する前記インプラントの応答を感知するように構成される、少なくとも１つのセンサと、
前記駆動信号に応答して、前記医療用インプラントにより生成された力及び前記医療用インプラントの寸法の変化のうちの１つ以上を報告するように構成される、出力装置と、を備える、遠隔制御装置。
【請求項２】
前記無線駆動信号が、磁場を含む、請求項１に記載の遠隔制御装置。
【請求項３】
前記インプラントの前記応答が、前記インプラント内の要素の回転を含む、請求項２に記載の遠隔制御装置。
【請求項４】
前記駆動信号に応答して、前記インプラントの調整量の指標を表示するように構成される１つ以上のディスプレイを更に備える、請求項２に記載の遠隔制御装置。
【請求項５】
前記調整量の前記指標が、前記駆動信号に応答して実際に達成される回転数の指標を含む、請求項４に記載の遠隔制御装置。
【請求項６】
前記力が、前記駆動信号に対する前記インプラントの応答性の測定に基づいて計算される、請求項２に記載の遠隔制御装置。
【請求項７】
前記インプラントが、前記遠隔制御装置内の少なくとも１つのドライバ磁石に応答して移動される少なくとも１つの被駆動磁石を備え、
前記力が、前記ドライバ磁石と前記被駆動磁石との間の応答性の測定に基づいて計算される、請求項６に記載の遠隔制御装置。
【請求項８】
前記寸法の変化が、前記医療用インプラントの少なくとも一部分の軸方向寸法の変化を含む、請求項２に記載の遠隔制御装置。
【請求項９】
前記磁場が、１つ以上の電磁石によって生成される、請求項２に記載の遠隔制御装置。
【請求項１０】
前記磁場が、１つ以上の永久磁石によって生成される、請求項２に記載の遠隔制御装置。
【請求項１１】
前記少なくとも１つのセンサが、ホール効果センサアレイを含む、請求項２に記載の遠隔制御装置。
【請求項１２】
前記ホール効果センサアレイが、その上に含まれる第１及び第２のホール効果センサを有する第１の回路基板と、その上に第３及び第４のホール効果センサ容器を有する第２の回路基板とを含む、請求項１１に記載の遠隔制御装置。
【請求項１３】
前記第１の回路基板が、少なくとも５つのホール効果センサを含み、前記第２の回路基板が、少なくとも５つのホール効果センサを含む、請求項１２に記載の遠隔制御装置。
【請求項１４】
前記医療用インプラントによって加えられる力の強さが、前記第１の回路基板の前記５つのホール効果センサのうちの少なくとも２つと、前記第２の回路基板の前記５つのホール効果センサのうちの少なくとも２つのとの間の１つ以上の電圧差動から少なくとも部分的に判定される、請求項１３に記載の遠隔制御装置。
【請求項１５】
前記医療用インプラントによって加えられる力の強さが、実験データ及び曲線適合データに少なくとも部分的に基づく推定値である、請求項１４に記載の遠隔制御装置。
【請求項１６】
前記インプラント内の前記要素が、磁気要素を備え、前記磁気要素が前記ドライバの移動に対する応答性の既定の閾値を達成していないことを示すための指標を表示するために、第２のディスプレイを更に備える、請求項３に記載の遠隔制御装置。
【請求項１７】
身体内の寸法の無線調整のための医療用インプラントであって、
前記身体内の第１の場所に結合するように構成される、第１の部分と、
前記身体内の第２の場所に結合するように構成される、第２の部分と、
前記第１の部分と前記第２の部分との間の相対距離を調整するように構成される磁気ドライブであって、少なくとも１つの被駆動磁石を含み、前記身体の外側のドライバ磁石によって付与される磁場に応答して軸を中心に回転するように構成される、磁気ドライブと、を備え、
前記インプラントが、前記ドライバ磁石に対する前記被駆動磁石の応答性を示す信号を伝達するように構成され、
前記応答性の変化が、前記身体と、前記第１及び第２の部分との間に加えられる力の変化を示す、医療用インプラント。
【請求項１８】
前記力が、圧縮力、延長力、引張力、及び回転力からなる群から選択される、請求項１７に記載の医療用インプラント。
【請求項１９】
前記力が、モーメントに変換される、請求項１７に記載の医療用インプラント。
【請求項２０】
前記力が、磁気結合トルクから少なくとも部分的に導出される、請求項１７に記載の医療用インプラント。
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
犬の歯を掃除する噛みおやつであって、
棚によって分離された第１主面側及び反対側の第２主面側と、
前記棚の前記第１及び前記第２主面側のそれぞれに略垂直に外側に伸び、前記棚に隣接した第１端から前記棚から離間した第２端まで略均一な厚さを持ち、かつ前記第１及び前記第２主面側のそれぞれに複数のポケットを定義する複数の壁と、を有し、
前記複数のポケットのそれぞれは、前記ポケットを定義する前記複数の壁によって取り囲まれた囲い空間を有し、
前記ポケットは、犬が歯の表面を掃除するために前記噛みおやつを噛んでいる時に、前記囲い空間の内部に前記犬の前記歯を収容するように構成され、
前記ポケットを定義する前記複数の壁の一部は、前記犬の前記歯と１つ以上の隣接した歯との間をフロッシングするために前記歯と１つ以上の隣接した歯との間に挿入される噛みおやつ。
【請求項２】
前記ポケットの内の少なくともいくつかは、六角形形状を持つ請求項１に記載の噛みおやつ。
【請求項３】
前記ポケットの内の少なくともいくつか及び前記噛みおやつの両方は、六角形の形状に形成される請求項２に記載の噛みおやつ。
【請求項４】
前記噛みおやつは、１．２７センチメートルから４．４４５センチメートルまでの範囲の全体直径、及び０．０８９センチメートルから０．２５４センチメートルまでの範囲の前記複数の壁の厚さを持つ小さいおやつ、３．１７５センチメートルから６．３５０センチメートルまでの範囲の全体直径、及び０．１２７センチメートルから０．３８１センチメートルまでの範囲の前記複数の壁の厚さを持つ普通のおやつ、５．７１５センチメートルから１０．１６０センチメートルまでの範囲の全体直径、及び０．１０２センチメートルから０．６３５センチメートルまでの範囲の前記複数の壁の厚さを持つ大きいおやつ、並びに７．６２０センチメートルから１２．７００センチメートルまでの範囲の全体直径、及び０．１６５センチメートルから０．８８９センチメートルまでの範囲の前記複数の壁の厚さを持つ特大のおやつから成るグループから選択される請求項１に記載の噛みおやつ。
【請求項５】
前記噛みおやつは、１．９０５センチメートルから３．１７５センチメートルまでの範囲の全体直径、及び０．１２７センチメートルから０．１７８センチメートルまでの範囲の前記複数の壁の厚さを持つ小さいおやつ、４．０６４センチメートルから４．８２６センチメートルまでの範囲の全体直径、及び０．１５２センチメートルから０．１９１センチメートルまでの範囲の前記複数の壁の厚さを持つ普通のおやつ、６．３５０センチメートルから８．６３６センチメートルまでの範囲の全体直径、及び０．１６５センチメートルから０．２２９センチメートルまでの範囲の前記複数の壁の厚さを持つ大きいおやつ、並びに８．８９０センチメートルから９．５２５センチメートルまでの範囲の全体直径、及び０．１９１センチメートルから０．２７９センチメートルまでの範囲の前記複数の壁の厚さを持つ特大のおやつから成るグループから選択される請求項１に記載の噛みおやつ。
【請求項６】
前記第１主面側の前記ポケットの内の少なくともいくつかは、前記第２主面側の前記ポケットの内の少なくともいくつかに略位置合わせされ、前記棚は、前記第１主面側のポケットを前記第２主面側のポケットから分離し、前記複数のポケットは、さらに、前記棚によって定義される請求項１に記載の噛みおやつ。
【請求項７】
前記棚は、略連続的であり、前記噛みおやつは、前記噛みおやつの厚さを完全に貫通する開口を含まない請求項６に記載の噛みおやつ。
【請求項８】
前記噛みおやつの表面は、前記表面上に形成された複数のマイクロホールを有する請求項１に記載の噛みおやつ。
【請求項９】
前記噛みおやつは、１．２７センチメートルから４．４４５センチメートルまでの範囲の全体直径を持つ小さいおやつ、３．１７５センチメートルから６．３５０センチメートルまでの範囲の全体直径を持つ普通のおやつ、５．７１５センチメートルから１０．１６０センチメートルまでの範囲の全体直径を持つ大きいおやつ、及び７．６２０センチメートルから１２．７００センチメートルまでの範囲の全体直径を持つ特大のおやつから成るグループから選択される請求項１に記載の噛みおやつ。
【請求項１０】
前記小さいおやつは、０．２５４センチメートルから０．８８９センチメートルまでの範囲の前記ポケットの深さを持ち、前記普通のおやつは、０．３１８センチメートルから１．１４３センチメートルまでの範囲の前記ポケットの深さを持ち、前記大きいおやつは、０．５７２センチメートルから１．３９７センチメートルまでの範囲の前記ポケットの深さを持ち、前記特大のおやつは、０．２５４センチメートルから１．３９７センチメートルまでの範囲の前記ポケットの深さを持つ請求項９に記載の噛みおやつ。
【請求項１１】
前記小さいおやつは、０．５０８センチメートルから０．６３５センチメートルまでの範囲の前記ポケットの深さを持ち、前記普通のおやつは、０．５４６センチメートルから０．８８９センチメートルまでの範囲の前記ポケットの深さを持ち、前記大きいおやつは、０．７６２センチメートルから１．０４１センチメートルまでの範囲の前記ポケットの深さを持ち、前記特大のおやつは、０．８３８センチメートルから１．２７０センチメートルまでの範囲の前記ポケットの深さを持つ請求項９に記載の噛みおやつ。
【請求項１２】
前記小さいおやつは、０．４０６センチメートルから０．６９９センチメートルまでの範囲の前記ポケットの幅を持ち、前記普通のおやつは、０．６９９センチメートルから１．０８０センチメートルまでの範囲の前記ポケットの幅を持ち、前記大きいおやつは、０．６３５センチメートルから１．２０７センチメートルまでの範囲の前記ポケットの幅を持ち、前記特大のおやつは、０．６９９センチメートルから１．２７０センチメートルまでの範囲の前記ポケットの幅を持つ請求項１０に記載の噛みおやつ。
【請求項１３】
前記小さいおやつは、０．４８３センチメートルから０．５０８センチメートルまでの範囲の前記ポケットの幅を持ち、前記普通のおやつは、０．７６２センチメートルから０．８８９センチメートルまでの範囲の前記ポケットの幅を持ち、前記大きいおやつは、０．９５３センチメートルから１．１１８センチメートルまでの範囲の前記ポケットの幅を持ち、前記特大のおやつは、０．９５３センチメートルから１．１６８センチメートルまでの範囲の前記ポケットの幅を持つ請求項１０に記載の噛みおやつ。
【請求項１４】
前記噛みおやつは、少なくとも４．７平方センチメートル対１立方センチメートルの表面積対体積比率を含む請求項１〜５、１０〜１３のいずれか１項に記載の噛みおやつ。
【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
配列番号５の野生型９°Ｎ  ＤＮＡポリメラーゼアミノ酸配列におけるＬｅｕ４０８、Ｔｙｒ４０９、Ｐｒｏ４１０およびＬｙｓ４７７と機能的に等価な位置に少なくとも一つのアミノ酸置換変異を含む、改変されたファミリーＢ古細菌ＤＮＡポリメラーゼであり、ここで、該置換変異はＬｅｕ４０８Ａｌａ、Ｔｙｒ４０９Ａｌａ、Ｐｒｏ４１０ＩｌｅおよびＬｙｓ４７７Ｍｅｔと相同であり、ここで、該改変されたポリメラーゼは配列番号１１と少なくとも８０％同一であるアミノ酸配列を含む、改変されたファミリーＢ古細菌ＤＮＡポリメラーゼ。
【請求項２】
該改変されたポリメラーゼがサーモコッカス、パイロコッカスおよびメタノコッカスからなる群から選択される属由来である、請求項１に記載の改変されたポリメラーゼ。
【請求項３】
Ｖｅｎｔ、Ｄｅｅｐ  Ｖｅｎｔ、９°ＮおよびＰｆｕポリメラーゼからなる群から選択
される、請求項１または２に記載の改変されたポリメラーゼ。
【請求項４】
該改変されたポリメラーゼが９°Ｎ  ＤＮＡポリメラーゼアミノ酸配列におけるＡｓｐ１４１および／またはＧｌｕ１４３と機能的に等価な一以上の位置に置換変異をさらに含む、請求項１〜３のいずれかに記載の改変されたポリメラーゼ。
【請求項５】
９°Ｎ  ＤＮＡポリメラーゼアミノ酸配列におけるＡｌａ４８５と機能的に等価な位置に置換変異をさらに含む、請求項１〜４のいずれかに記載の改変されたポリメラーゼ。
【請求項６】
改変されたポリメラーゼが９°Ｎポリメラーゼアミノ酸配列におけるＡｌａ４８５ＬｅｕまたはＡｌａ４８５Ｖａｌと機能的に等価な置換変異を含む、請求項５に記載の改変されたポリメラーゼ。
【請求項７】
さらに９°Ｎ  ＤＮＡポリメラーゼアミノ酸配列におけるＣｙｓ２２３と機能的に等価
な位置に置換変異を含む、請求項１〜６のいずれかに記載の改変されたポリメラーゼ。
【請求項８】
改変されたポリメラーゼが９°Ｎポリメラーゼアミノ酸配列におけるＣｙｓ２２３Ｓｅｒと機能的に等価な置換変異を含む、請求項７に記載の改変されたポリメラーゼ。
【請求項９】
さらに９°Ｎ  ＤＮＡポリメラーゼアミノ酸配列におけるＴｈｒ５１４と機能的に等価
な位置に置換変異を含む、請求項１〜８のいずれかに記載の改変されたポリメラーゼ。
【請求項１０】
改変されたポリメラーゼが９°Ｎポリメラーゼアミノ酸配列におけるＴｈｒ５１４ＡｌａまたはＴｈｒ５１４Ｓｅｒと機能的に等価な置換変異を含む、請求項９に記載の改変されたポリメラーゼ。
【請求項１１】
さらに９°Ｎ  ＤＮＡポリメラーゼアミノ酸配列におけるＩｌｅ５２１と機能的に等価
な位置に置換変異を含む、請求項１〜１０のいずれかに記載の改変されたポリメラーゼ。
【請求項１２】
改変されたポリメラーゼが９°Ｎポリメラーゼアミノ酸配列におけるＩｌｅ５２１Ｌｅｕと機能的に等価な置換変異を含む、請求項１１に記載の改変されたポリメラーゼ。
【請求項１３】
配列番号２９と少なくとも８０％同一であるアミノ酸配列を含む組み換えＤＮＡポリメラーゼであり、配列番号２９の９°Ｎ  ＤＮＡポリメラーゼアミノ酸配列におけるＬｅｕ４０８、Ｔｙｒ４０９およびＰｒｏ４１０と機能的に等価な位置でのアミノ酸置換変異、ここで、該変異はそれぞれＬｅｕ４０８Ａｌａ、Ｔｙｒ４０９ＡｌａおよびＰｒｏ４１０Ｉｌｅと相同である、および９°Ｎ  ＤＮＡポリメラーゼアミノ酸配列におけるＬｙｓ４７７と機能的に等価な位置でのアミノ酸置換変異を含む、組み換えＤＮＡポリメラーゼ。
【請求項１４】
配列番号３１と少なくとも８０％同一であるアミノ酸配列を含む組み換えＤＮＡポリメラーゼであり、配列番号３１の９°Ｎ  ＤＮＡポリメラーゼアミノ酸配列におけるＬｅｕ４０８、Ｔｙｒ４０９およびＰｒｏ４１０と機能的に等価な位置でのアミノ酸置換変異、ここで、該変異はそれぞれＬｅｕ４０８Ａｌａ、Ｔｙｒ４０９ＡｌａおよびＰｒｏ４１０Ｉｌｅと相同である、および９°Ｎ  ＤＮＡポリメラーゼアミノ酸配列におけるＬｙｓ４７７と機能的に等価な位置でのアミノ酸置換変異を含む、組み換えＤＮＡポリメラーゼ。
【請求項１５】
改変されたポリメラーゼが配列番号１１と少なくとも９０％、少なくとも９５％または少なくとも９９％同一のアミノ酸配列を含む、請求項１〜１２のいずれかに記載の改変されたポリメラーゼ。
【請求項１６】
組み換えＤＮＡポリメラーゼが配列番号２９と少なくとも９０％、少なくとも９５％または少なくとも９９％同一のアミノ酸配列を含む、請求項１３に記載の組み換えＤＮＡポリメラーゼ。
【請求項１７】
組み換えＤＮＡポリメラーゼが配列番号３１と少なくとも９０％、少なくとも９５％または少なくとも９９％同一のアミノ酸配列を含む、請求項１４に記載の組み換えＤＮＡポリメラーゼ。
【手続補正書】
【提出日】平成30年4月6日(2018.4.6)
【手続補正１】
【補正対象書類名】明細書
【補正対象項目名】００６３
【補正方法】変更
【補正の内容】
【００６３】
コンピュータ可読記憶媒体は、コンピュータ可読プログラム製品の形態を取ることができ、コンピュータ可読プログラム製品は、１つ又は複数のコンピュータ可読媒体において実施され、コンピュータ可読プログラム・コードを有し、コンピュータ可読プログラム・コードは、上記１つ又は複数のコンピュータ可読媒体上において実施され、コンピュータによって実行可能である。ここに使用されるコンピュータ可読記憶媒体は、情報を記憶する固有の機能とその情報を取り出せる固有の機能とを備えた非一時的記憶媒体であると考えられる。コンピュータ可読記憶媒体は、例えば、電子的な、磁気的な、光学的な、電磁的な、赤外線の、又は、半導体のシステム、装置、又は、機器、或いは、それらの任意の適切な組み合わせであってもよく、且つ、これらには限定されない。本原理を適用できるコンピュータ可読記憶媒体の更に具体的な例としては、ポータブル・コンピュータ・ディスケット、ハード・ディスク、ランダム・アクセス・メモリ（ＲＡＭ）、読み出し専用メモリ（ＲＯＭ）、消去書込み可能型読み出し専用メモリ（ＥＰＲＯＭ又はフラッシュ・メモリ）、ポータブル・コンパクト・ディスク読み出し専用メモリ（ＣＤ―ＲＯＭ）、光学式記憶デバイス、磁気的記憶デバイス、或いは、それらの任意の適切な組み合わせが挙げられるが、これらは、当業者であれば容易に理解できるように、単なる例示であって網羅的な列挙ではない。
以下、本願により教示される手段を例示的に列挙する。
（付記１）
クライアント端末（ＣＴ）と少なくとも１つのサーバ（ＳＥ）との間の伝送経路に沿って設けられたネットワーク装置（ＧＷ；ＤＡＮＥ）を動作させる方法であって、該ネットワーク装置（ＧＷ；ＤＡＮＥ）は、複数の表現で利用可能なマルチメディア・コンテンツのセグメントの第１の表現について前記クライアント端末（ＣＴ）から要求を受信するように構成されており、前記要求は、前記セグメントの１つ又は複数の代替表現を更に指定しており、前記方法は、
サーバ（ＳＥ）と前記クライアント端末（ＣＴ）との間の伝送経路に沿った少なくとも１つの下り帯域幅を特定すること（Ｓ２）と、
対応付けられたビットレートが前記特定された下り帯域幅よりも高い前記要求において指定された各々の代替表現を削除することによって、前記要求を修正すること（Ｓ４）と、
前記ネットワーク装置（ＧＷ；ＤＡＮＥ）と前記サーバ（ＳＥ）との間に設けられた上りネットワーク構成要素（ＤＡＮＥ；ＲＮＥ；ＳＥ）に前記修正された要求を転送すること（Ｓ５）と、
を含む、前記方法。
（付記２）
前記下り帯域幅は、前記上りネットワーク構成要素（ＤＡＮＥ；ＲＮＥ；ＳＥ）と前記ネットワーク装置（ＧＷ；ＤＡＮＥ）との間の伝送経路に沿って特定される、付記１に記載の方法。
（付記３）
前記下り帯域幅は、前記ネットワーク装置（ＧＷ；ＤＡＮＥ）と、前記クライアント端末（ＣＴ）と前記ネットワーク装置（ＧＷ；ＤＡＮＥ）との間に設けられた下りネットワーク構成要素（ＤＡＮＥ；ＲＮＥ；ＣＴ）との間の伝送経路に沿って特定される、付記１に記載の方法。
（付記４）
前記ネットワーク装置は、ゲートウェイ（ＧＷ）、プロキシ又はキャッシュ（ＤＡＮＥ）である、付記１から３のいずれか１項に記載の方法。
（付記５）
前記クライアント端末（ＣＴ）への前記マルチメディア・コンテンツの伝送に使用されるプロトコルがＨＴＴＰ適応ストリーミング・プロトコルであり、前記ネットワーク装置が前記ＨＴＴＰ適応ストリーミング・プロトコルに準拠している、付記１から４のいずれか１項に記載の方法。
（付記６）
クライアント端末（ＣＴ）と少なくとも１つのサーバ（ＳＥ）との間の伝送経路に沿って設けられるように構成されたネットワーク装置（ＧＷ；ＤＡＮＥ）であって、該ネットワーク装置（ＧＷ；ＤＡＮＥ）は、複数の表現で利用可能なマルチメディア・コンテンツのセグメントの第１の表現について前記クライアント端末（ＣＴ）から要求を受信するように構成されており、前記要求は、前記セグメントの１つ又は複数の代替表現を更に指定しており、前記ネットワーク装置（ＧＷ；ＤＡＮＥ）は、
サーバ（ＳＥ）と前記クライアント端末（ＣＴ）との間の伝送経路に沿った少なくとも１つの下り帯域幅を特定するように構成された帯域幅推定器（１４；２３）と、
対応付けられたビットレートが前記特定された下り帯域幅よりも高い前記要求の各々の代替表現を削除することによって、前記要求を修正するように構成されたフィルタリング・モジュール（１６；２５）と、
前記ネットワーク装置（ＧＷ；ＤＡＮＥ）と前記サーバ（ＳＥ）との間に設けられた上りネットワーク構成要素（ＤＡＮＥ；ＲＮＥ；ＳＥ）に前記修正された要求を転送するように構成された通信モジュール（１１；１８）と、
を備えている、前記ネットワーク装置。
（付記７）
前記帯域幅推定器（１４；２３）は、前記上りネットワーク構成要素（ＤＡＮＥ；ＲＮＥ；ＳＥ）と前記ネットワーク装置（ＧＷ；ＤＡＮＥ）との間の伝送経路に沿った下り帯域幅を特定するように構成されている、付記６に記載のネットワーク装置。
（付記８）
前記帯域幅推定器は、前記ネットワーク装置（ＧＷ；ＤＡＮＥ）と、前記クライアント端末（ＣＴ）と前記ネットワーク装置（ＧＷ）との間に設けられた下りネットワーク構成要素（ＣＴ；ＲＮＥ；ＤＡＮＥ）との間の伝送経路に沿った下り帯域幅を特定するように構成されている、付記６に記載のネットワーク装置。
（付記９）
前記ネットワーク装置は、ゲートウェイ（ＧＷ）、プロキシ又はキャッシュ（ＤＡＮＥ）である、付記６から８のいずれか１項に記載のネットワーク装置。
（付記１０）
前記ネットワーク装置はＨＴＴＰ適応ストリーミング認識装置である、付記６から９のいずれか１項に記載のネットワーク装置。
（付記１１）
通信ネットワークからダウンロード可能であり、及び／又は、コンピュータによって読み取り可能な媒体に記録され、及び／又は、プロセッサによって実行可能である、付記１から５のうちの少なくとも１項に記載の方法のステップを実施するプログラム・コード命令を備えているコンピュータ・プログラム製品。
（付記１２）
非一時的なコンピュータ可読媒体に記録されており、かつプロセッサによって実行可能な、付記１から５のうちの少なくとも１項に記載の方法のステップを実施するプログラム・コード命令を含むコンピュータ・プログラム製品を備えた、非一時的なコンピュータ可読媒体。